(57)【要約】【課題】映像のシーンについての他のユーザの評価を好適に示すことを可能とする表示装置、通信装置及び制御方法の提供。【解決手段】実施形態に係る表示装置は、再生手段と、表示手段と、取得手段と、発光制御手段とを備える。再生手段は、映像コンテンツを再生し、表示手段は、再生された映像コンテンツの映像を表示画面に表示する。取得手段は、ネットワークを介して接続された記憶装置に格納された、映像コンテンツの何れかの時間位置に対する評価に関する第１のデータを記憶装置から取得する。そして発光制御手段は、再生手段が映像コンテンツの何れかの時間位置を再生する場合に、取得された第１のデータに応じて、表示画面を照明する装置とは異なる発光装置を発光させる。【選択図】  図２
2012099969.tif 000002
【特許請求の範囲】
【請求項１】
映像コンテンツを再生する再生手段と、
再生された前記映像コンテンツの映像を表示画面に表示する表示手段と、
ネットワークを介して接続された記憶装置に格納された、前記映像コンテンツの何れかの時間位置に対する評価に関する第１のデータを前記記憶装置から取得する取得手段と、
前記再生手段が前記映像コンテンツの何れかの時間位置を再生する場合に、取得された前記第１のデータに応じて、前記表示画面を照明する装置とは異なる発光装置を発光させる発光制御手段と
を備える表示装置。
【請求項２】
前記第１のデータは、前記映像コンテンツの何れかの時間位置に対する評価の度合いに関するデータを含み、
前記発光制御手段は、前記第１のデータに含まれる前記度合いに応じて前記発光装置を発光させる、請求項１記載の表示装置。
【請求項３】
前記取得手段は、
ユーザの嗜好に関する嗜好情報を前記記憶装置に送信する手段と、
当該記憶装置から、送信された前記嗜好情報に応じた前記第１のデータを受信する手段とを備える、請求項１記載の表示装置。
【請求項４】
前記再生手段が再生した映像コンテンツの履歴を格納する格納手段と、
前記履歴に基づいてユーザの嗜好を判別する判別手段とを更に備え、
前記取得手段は、前記判別手段が判別したユーザの嗜好に基づいた前記嗜好情報を前記記憶装置に送信する、請求項３記載の表示装置。
【請求項５】
ユーザの嗜好に関する操作入力を受け付ける受付手段を更に備え、
前記取得手段は、前記受付手段が受け付けたユーザの嗜好に基づいた前記嗜好情報を前記記憶装置に送信する、請求項３記載の表示装置。
【請求項６】
前記再生手段が前記映像コンテンツを再生する場合に、当該再生中の映像コンテンツの何れかの時間位置に関する操作入力を受け付ける受付手段と、
受け付けられた前記操作入力に基づいて、前記記憶装置に第２のデータを送信する送信手段とを更に備える、請求項１記載の表示装置。
【請求項７】
ネットワークを介して接続された１以上の外部機器から、映像コンテンツの何れかの時間位置に対する評価に関する第２のデータを受信する受信手段と、
ネットワークを介して接続された外部機器に、格納された前記第２のデータに基づいた、前記映像コンテンツの何れかの時間位置に対する評価に関する第１のデータを送信する送信手段と
を備える通信装置。
【請求項８】
前記受信手段は、ネットワークを介して接続された外部機器から、ユーザの嗜好に関する嗜好情報を受信し、
前記送信手段は、前記嗜好情報を受信した場合、受信された前記第２のデータのうち、前記嗜好情報に応じた一部のデータに基づいた前記第１のデータを送信する、請求項７記載の通信装置。
【請求項９】
ネットワークを介して記憶装置に接続された表示装置における制御方法であって、
映像コンテンツを再生することと、
再生された前記映像コンテンツの映像を表示画面に表示することと、
前記記憶装置に格納された、前記映像コンテンツの何れかの時間位置に対する評価に関する第１のデータを取得することと、
前記映像コンテンツの何れかの時間位置が再生される場合に、取得された前記第１のデータに応じて、前記表示画面を照明する装置とは異なる発光装置を発光させることと
を備える制御方法。
【発明の詳細な説明】
【技術分野】
【０００１】
本発明の実施形態は、表示装置及び表示制御方法に関する。
【背景技術】
【０００２】
ネットワーク上に公開された映像コンテンツ等に対して、コメントやタグ等の情報を付与する技術がある。当該技術では、あるユーザにより映像コンテンツに付与されたコメントやタグを、当該映像コンテンツにアクセスした他のユーザに対して示すことができる。
【先行技術文献】
【特許文献】
【０００３】
【特許文献１】特開２００８−２７８０８８号公報
【発明の概要】
【発明が解決しようとする課題】
【０００４】
ところで、ネットワーク上で共有されていないコンテンツの映像を表示装置に表示する場合にも、当該映像を視聴するユーザに対して、映像のシーンについての他のユーザの評価を好適に示せることが好ましい。
【０００５】
そこで本発明の実施形態は、映像のシーンについての他のユーザの評価を好適に示すことを可能とする表示装置、通信装置及び制御方法の提供を目的とする。
【課題を解決するための手段】
【０００６】
上記の課題を解決するために、実施形態に係る表示装置は、再生手段と、表示手段と、取得手段と、発光制御手段とを備える。再生手段は、映像コンテンツを再生し、表示手段は、再生された映像コンテンツの映像を表示画面に表示する。取得手段は、ネットワークを介して接続された記憶装置に格納された、映像コンテンツの何れかの時間位置に対する評価に関する第１のデータを記憶装置から取得する。そして発光制御手段は、再生手段が映像コンテンツの何れかの時間位置を再生する場合に、取得された第１のデータに応じて、表示画面を照明する装置とは異なる発光装置を発光させる。
【図面の簡単な説明】
【０００７】
【図１】実施形態の無線操作端末、表示装置及びサーバ装置の利用形態例を示す図。
【図２】実施形態の無線操作端末、表示装置及びサーバ装置のシステム構成例を示す図。
【図３】実施形態の表示装置が実行する感情データ処理プログラムの機能ブロック例を示す図。
【図４】実施形態のサーバ装置が生成するデータベースのデータ構成例を示す図。
【図５】実施形態の表示装置が表示する画面例を示す図。
【図６】実施形態の表示装置及びサーバ装置による感情データの送受信に係る処理シーケンス例を示す図。
【図７】実施形態の表示装置による感情データ送信に係る処理フロー例を示す図。
【図８】実施形態のサーバ装置による感情データの送受信に係る処理フロー例を示す図。
【図９】実施形態の表示装置による感情データの受信に係る処理フロー例を示す図。
【発明を実施するための形態】
【０００８】
以下、図面を参照して実施形態を説明する。
図１は本実施形態に係る通信システムの利用形態例を示す図である。ここで、本通信システムは、例えば表示装置２００、無線操作端末１００、サーバ装置３００、表示装置４００乃至６００等を備えている。そして表示装置２００や表示装置４００乃至６００は、例えばインターネットや家庭内ネットワーク等のネットワークにより、サーバ装置３００に対して接続されている。また、表示装置２００は、無線操作端末１００からの操作入力信号を受信する。
【０００９】
ここで無線操作端末１００は、操作入力部１１０及び送信部１３０等を備える。操作入力部１１０は、ユーザからの操作入力を受け付ける操作ボタン等であり、例えば表示装置２００が表示する映像に対するユーザの評価に関する操作入力を受け付けるためのＰｏｓｉｔｉｖｅボタン１１１及びＮｅｇａｔｉｖｅボタン１１２等を含む。ここでＰｏｓｉｔｉｖｅボタン１１１は、例えば表示装置２００が表示している映像の何れかのシーン、即ち映像コンテンツの何れかの再生位置や再生区間、に対してユーザが好意的な評価を示した場合に当該ユーザからの操作入力を受け付けるボタンである。
【００１０】
同様に、Ｎｅｇａｔｉｖｅボタン１１２は、表示装置２００が再生中の映像コンテンツの何れかの再生位置（再生区間）の映像に対してユーザが否定的な評価を持った場合、当該否定的な評価を受け付けるためのボタンである。なお、ここではユーザからの評価を受け付けるためのボタンの例として、Ｐｏｓｉｔｉｖｅボタン１１１及びＮｅｇａｔｉｖｅボタン１１２等の、ユーザの感情に関する評価を受け付けるボタンを示しているが、無線操作端末１００は上記２種類以外の感情に応じた評価を受け付けるボタンを備えていても良い。
【００１１】
そして送信部１３０は、操作入力部１１０が、表示装置２００で再生中の映像コンテンツの何れかのシーン（再生位置）に対する、例えばＰｏｓｉｔｉｖｅやＮｅｇａｔｉｖｅ等の評価についての操作入力を受けると、当該操作入力に基づいた操作入力信号を表示装置２００に送信する。
【００１２】
表示装置２００は、表示部２０９、受信部２１０、通信部２１６及び発光部２１７等を備える。ここで表示部２０９は、表示装置２００の本体筐体の前面に設けられたＬＣＤ等のディスプレイであり、映像コンテンツの映像を表示する機能を有する。受信部２１０は、無線操作端末１００からの各種操作入力信号を受信する。通信部２１６は、ネットワークを介して接続されたサーバ装置３００とのデータ送受信を行う。つまり、例えば表示装置２００が無線操作端末１００からの、感情等の評価に関する操作入力信号を受けると、通信部２１６は、当該操作入力信号に基づいた感情データをサーバ装置３００に送信する。また、表示装置２００が映像コンテンツを再生している際に、サーバ装置３００に格納されている感情データを取得する。
【００１３】
発光部２１７は、例えばＬＥＤ等の発光装置であり、表示装置２００の本体筐体の、例えば表示部２０９の周囲に設けられる。そして発光部２１７は、サーバ装置３００から取得した感情データが示す感情レベルの度合いに応じた発光強度、発光色及び発光パターン等により発光する。なお当該発光部２１７は、必ずしも表示装置２００に設けられなくともよく、例えば表示装置２００の外部に接続された発光装置等であっても構わない。
【００１４】
サーバ装置３００は、表示装置２００や、当該表示装置２００と同様の機能を有する表示装置４００乃至６００から、映像コンテンツのシーン毎の感情データを受信する。そしてサーバ装置３００は、当該受信した感情データを格納し、複数の感情データを集計した感情データを表示装置２００に送信する。
【００１５】
次に図２を参照して、表示装置２００、無線操作端末１００、サーバ装置３００のシステム構成例を説明する。
無線操作端末１００は、操作入力部１１０、送信制御部１２０、送信部１３０等を備える。操作入力部１１０は、無線操作端末１００に設けられた操作ボタン等であり、例えば図１で前述した、コンテンツのシーンの評価についての操作入力を受け付ける。そして送信制御部１２０は、操作入力部１１０が受けた操作入力に応じたリモコンコードを生成し、送信部２１０は、当該リモコンコードを重畳した操作入力信号を表示装置２００に送信する。
【００１６】
表示装置２００は、チューナ２０１、復調部２０２、分離部２０３、音声デコード部２０４、映像デコード部２０５、音声処理部２０６、表示処理部２０７、スピーカ部２０８、表示部２０９、受信部２１０、記憶部２１１、プログラム格納メモリ２１２、ワークメモリ２１３、制御部２１４、通信部２１６、発光部２１７等を備える。
【００１７】
チューナ２０１は、例えばＢＳ／ＣＳ（Ｂｒｏａｄｃａｓｔｉｎｇ  Ｓａｔｅｌｌｉｔｅ／Ｃｏｍｍｕｎｉｃａｔｉｏｎ  Ｓａｔｅｌｌｉｔｅ）デジタル放送受信用のアンテナ（不図示）が受信した衛星デジタルテレビジョン放送信号や、地上波放送受信用のアンテナ（不図示）が受信した地上波デジタルテレビジョン放送信号を受信する。
【００１８】
そして復調部２０２は、例えばＰＳＫ（Ｐｈａｓｅ  Ｓｈｉｆｔ  Ｋｅｙｉｎｇ）方式やＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式等により、チューナ２０１が受信した放送信号を、ＴＳ（Ｔｒａｎｓｐｏｒｔ  Ｓｔｒｅａｍ）形式のデータに復調する。
【００１９】
分離部２０３は、復調部２０２が復調したＴＳから、映像データ、音声データ、ＥＰＧデータ等のデータを分離させる。また分離部２０３は、後述する記憶部２１１に記憶されたコンテンツのＴＳや、通信部２１６が受信したＩＰテレビのコンテンツのＴＳ等から、映像データと音声データとを分離させる機能も有する。そして分離部２０３は、音声データを音声デコード部２０４に、映像データを映像デコード部２０５に出力する。
【００２０】
音声デコード部２０４は、分離部２０３から入力された音声データを復号して当該復号した音声データを音声処理部１１０に出力する。また映像デコード部２０５は、分離部２０３から入力された映像データをデコードし、デコードした映像データを表示処理部１１１に出力する。
【００２１】
音声処理部２０６は、音声デコード部２０４がデコードした音声データを、スピーカ等の音声出力装置が出力可能な形式の音声信号に変換する。そして音声処理部２０６は、変換した当該音声信号をスピーカ部２０８に出力する。
【００２２】
表示処理部２０７は、映像デコード部２０５がデコードした映像データ、及び後述する制御部２１４が実行する感情データ処理プログラム２５０が生成した画面の映像データを、ディスプレイ等の表示装置が表示可能な形式の映像信号に変換して、当該映像信号を表示部２０９に出力する。
【００２３】
受信部２１０は、無線操作端末１００から送信された操作入力信号を受信することにより、表示装置２００に対するユーザからの操作入力を受け付ける。そして受信部２１０は、受け付けた操作入力の情報を制御部２１４に出力する。
【００２４】
記憶部２１１は、表示装置１００による録画処理により録画された映像コンテンツのデータを記憶する。ここで記憶部２１１は、放送コンテンツのデータを記憶する場合、当該放送コンテンツについてのＥＰＧデータ等に基づいてコンテンツ名やコンテンツＩＤ、コンテンツのジャンル等の情報を記憶しても良い。そして記憶部２１１は、記憶した録画コンテンツを分離部２０３に出力する機能も有する。なお記憶部２１１は、必ずしも表示装置２００に備えられている必要は無く、例えばＵＳＢ等のデジタルインタフェースにより表示装置２００に接続された外部記憶装置であってもよい。
【００２５】
制御部２１４は、ＣＰＵ（Ｃｅｎｔｒａｌ  Ｐｒｏｃｅｓｓｉｎｇ  Ｕｎｉｔ）２１５を備える。そして制御部２１４は、プログラム格納メモリ２１２に格納された各種の制御プログラム（不図示）を読み込み、ワークメモリ２１３を作業領域として用いて、表示装置２００の各モジュールを制御する。また制御部２１４は、プログラム格納メモリ２１２に格納された感情データ処理プログラム２５０を実行する。当該感情データ処理プログラム２５０の詳細は図３を参照して後述する。
【００２６】
通信部２１６は、受信部２１０が受け付けた感情データをサーバ装置３００に送信する機能、及びサーバ装置３００に格納された感情データを受信する機能を有する。当該機能の詳細については図７及び図９を参照して後述する。
【００２７】
発光部２１７は、通信部２１６がサーバ装置３００から受信した感情データに基づいた発光色、発光強度、発光パターン等により発光する機能を有する。なお発光部２１７は、例えば発光装置を覆う液晶パネルを設け、当該液晶を制御することにより、発光色、発光強度、発光パターンを制御するものであっても構わない。
【００２８】
次にサーバ装置３００を説明する。サーバ装置３００は、通信部３１０、データ管理部３２０、記憶部３３０等を備える。通信部３１０は、表示装置２００や、表示装置４００乃至６００（図２には不図示）から送信された感情データを受信し、当該受信した感情データをデータ管理部に出力する。また通信部３１０は、表示装置２００及び表示装置４００乃至６００に対して、記憶部３３０に格納されたコンテンツ／感情データベース３３０１に基づいた感情データを送信する機能も有する。
【００２９】
データ管理部３２０は、通信部３１０が受信した感情データ、及び通信部３１０が送信する感情データを管理する。ここでデータ管理部３２０は、通信部３１０が受信した感情データを、例えばコンテンツ毎に集計する機能等を有する。
【００３０】
記憶部３３０は、各種のデータを格納する記憶装置であり、例えば通信部３１０が受信した感情データに基づいたコンテンツ／感情データベース３３０１を格納する。なお当該コンテンツ／感情データベース３３０１については図４を参照して後述する。
【００３１】
次に図３を参照して、感情データ処理プログラム２５０の機能ブロック例を説明する。
感情データ処理プログラム２５０は、感情データ入力部２５１、感情データ送信部２５２、グループ判別部１５３、再生情報取得部２５４、感情データ取得部２５５、ＧＵＩ処理部２５６、発光制御部２５７等を備える。
【００３２】
感情データ入力部２５１には、受信部２１０が受信した操作入力信号に重畳された感情データが入力される。そして感情データ入力部２５１は、当該入力された感情データを、感情データ送信部２５２及び嗜好判別部２５３に出力する。
【００３３】
そして感情データ送信部２５２は、入力された感情データを通信部２１６からサーバ装置３００に送信する。また、ここで感情データ送信部２５２は、感情データと、当該感情データが入力された再生コンテンツのコンテンツＩＤと、当該コンテンツにおける当該感情データの入力対象となったシーンについての再生位置情報（時間位置情報）と、ユーザの嗜好についての情報とを含めてサーバ装置３００に送信する。なお、コンテンツＩＤ及び再生位置情報（時間位置情報）は再生情報取得部２５４から、嗜好情報は嗜好情報判別部１５３から入力される。
【００３４】
嗜好判別部２５３には、感情データ入力部２５１から感情データが入力される。また嗜好判別部２５３には、再生情報取得部２５４から、表示装置２００が再生中のコンテンツに関する情報が入力される。そして嗜好判別部２５３は、表示装置２００が再生したコンテンツの履歴等を解析することにより、当該表示装置２００を使用するユーザの嗜好を判別する。つまり、例えば表示装置２００でスポーツに関するコンテンツが他のコンテンツよりも多く再生されている場合、当該表示装置２００のユーザはスポーツを好む嗜好を有するとして判別する。
【００３５】
また嗜好判別部２５３は、感情データ入力部２５１から入力された感情データに基づいて、表示装置２００のユーザの嗜好を判別してもよい。つまり、表示装置２００が再生したコンテンツにおいて、ユーザが何れのシーン（再生区間）に対してどのような評価をしているかにより、ユーザの嗜好を判別する。つまり、例えば球団Ａと球団Ｂとの試合についての映像コンテンツにおいて、球団Ａが得点した場合にユーザがポジティブな感情データを入力している場合、嗜好判別部２５３は、表示装置２００のユーザが球団Ａを好む嗜好を有するとして判別する。
【００３６】
また嗜好判別部２５３は、受信部２１０からユーザの嗜好を設定する操作入力が入力されても良い。つまり、例えば表示装置２００の表示画面に、ユーザの嗜好を設定するための画面を表示し、当該画面に対する操作入力を受け付けてもよい。そしてこのとき嗜好判別部２５３は、当該操作入力に基づいてユーザの嗜好を判別する。
【００３７】
そして嗜好判別部２５３は、判別した嗜好に関する嗜好情報を感情データ送信部２５２及び感情データ取得部２５５に出力する。なお嗜好判別部２５３は、表示装置２００を使用する複数のユーザ夫々について別々に嗜好を判別し、表示装置２００が表示している映像を視聴するユーザに応じた嗜好情報を感情データ送信部２５２及び感情データ取得部２５５に出力してもよい。
【００３８】
再生情報取得部２５４は、表示装置２００が再生（デコード）している映像コンテンツについての情報を取得する。ここで再生情報取得部２５４は、例えば再生中のコンテンツの再生位置（時間位置）、コンテンツＩＤ、コンテンツ名、当該コンテンツのジャンル情報等の情報を取得する。
【００３９】
つまり再生情報取得部２５４は、映像デコード部２０５がデコードしている映像コンテンツの再生位置を当該映像デコード部２０５から取得し、当該コンテンツのＩＤ、コンテンツ名、ジャンル情報等を、例えば分離部２０３が分離したＥＰＧ情報等から抽出する。また再生情報取得部２５４は、記憶部１１５に記憶した録画コンテンツを再生する場合は、当該コンテンツに関連付けられて記憶したコンテンツ情報から当該コンテンツのＩＤ、コンテンツ名、ジャンル情報等を抽出してもよい。
【００４０】
そして再生情報取得部２５４は、再生位置情報を感情データ送信部２５２に、コンテンツＩＤ、コンテンツ名、ジャンル情報を嗜好判別部２５３に、コンテンツＩＤ及びコンテンツ名を感情データ取得部２５５に出力する。
【００４１】
感情データ取得部２５５は、サーバ装置３００に格納された感情データを取得する機能を有する。ここで感情データ取得部２５５は、サーバ装置３００に対し、再生情報取得部２５４から入力されたコンテンツＩＤを指定した感情データ要求を送信する。そして感情データ取得部２５５は、当該感情データ要求に対してサーバ装置３００から送信された感情データを受信し、当該受信した感情データをＧＵＩ処理部２５６及び発光制御部２５７に出力する。なお、ここで感情データ取得部２５５は、嗜好判別部２５３から入力される嗜好情報を含む感情データ要求を送信しても良い。そしてこの場合に感情データ取得部２５５は、当該嗜好情報が示す嗜好に応じた感情データをサーバ装置３００から受信する。
【００４２】
ＧＵＩ処理部２５６は、感情データ取得部２５５から入力された感情データに基づいた画面を生成し、当該画面を表示処理部２０７に出力する。なお当該画面の詳細については図５を参照して後述する。
【００４３】
発光制御部２５７は、感情データ取得部２５５から入力された感情データに基づいて発光部２１７の発光強度、発光色、発光パターン等を制御する。
次に図４を参照して、サーバ装置３００が格納する感情データのデータ構成例を説明する。
サーバ装置３００は、ネットワークを介して接続された表示装置２００等の機器から、感情データと、当該感情データが入力された対象のコンテンツのＩＤと、当該感情データが対応する再生位置についての情報と、ユーザＩＤと、ユーザの嗜好情報とを受信すると、これらに基づいてコンテンツ／感情データベース３３０１を生成する。
【００４４】
ここで、データベース３３０１ａ及び３３０１ｃは、サーバ装置３００にネットワークを介して接続された何れかの機器から受信した情報に基づいてサーバ装置３００が生成するコンテンツ／感情データベース３３０１のデータ構成例である。データベース３３０１ａには、例えばコンテンツＩＤ４０、再生時間（再生位置）４１、Ｐｏｓｉｔｉｖｅ度４２、Ｎｅｇａｔｉｖｅ度４３、ユーザＩＤ４４、嗜好情報４５等が格納される。
【００４５】
コンテンツＩＤ４０は、当該データベース３３０１ａの対象となるコンテンツの識別子である。なお当該コンテンツＩＤは、例えばコンテンツ名等であっても構わないが、一意の識別子であることが好ましい。再生時間４１は、コンテンツの再生時間（時間位置）や再生区間（時間区間）を示すデータである。なお図４において、再生時間４１は１秒毎に区切られているが、当該再生時間４１は、所定の区間毎に区切られていればよい。
【００４６】
Ｐｏｓｉｔｉｖｅ度４２及びＮｅｇａｔｉｖｅ度４３は、夫々の再生時間（時間区間）毎に入力された感情データの度合いを示すデータである。ここで、Ｐｏｓｉｔｉｖｅ度４２の数値は、例えば無線操作端末１００がＰｏｓｉｔｉｖｅボタン１１１に対する操作入力を受けた場合に格納される。同様にＮｅｇａｔｉｖｅ度４３の数値は、例えば無線操作端末１００がＮｅｇａｔｉｖｅボタン１１２に対する操作入力を受けた場合に格納される。なお、データベース３３０１に格納される感情データの種類はＰｏｓｉｔｉｖｅとＮｅｇａｔｉｖｅの２種類に限るものではなく、他の評価に関する感情データであってもよい。
【００４７】
ユーザＩＤ４４は、感情データを送信した表示装置のユーザを示す識別子である。嗜好情報は感情データを送信した表示装置のユーザの嗜好に関する情報である。
そしてサーバ装置３００は、夫々の機器から送信された感情データ等の情報に基づいてデータベース３３０１ａのようなデータベースを生成すると、更に複数のデータベースを集計して１のデータベースを生成する。そしてこの場合にサーバ装置３００は、複数のデータベースのうちの一部のデータベースに基づいたデータベースを生成しても良い。
【００４８】
つまり、例えばユーザＩＤに基づいて、特定の知り合い同士のデータベースをグループ化し、当該グループ内に含まれるデータベースを用いて１のデータベースを生成してもよい。また、嗜好情報に基づいて、類似する嗜好を持つ複数のユーザのデータベースをグループ化し、当該グループ内のデータベースを集計したデータベースを生成してもよい。
【００４９】
データベース３３０１ｃは、グループ化されたデータベースを用いて生成したデータベースのデータ構成例である。当該データベース３３０１ｃには、データベース３３０１ａと同様に、コンテンツＩＤ５０、再生時間（再生位置）５１、Ｐｏｓｉｔｉｖｅ度５２、Ｎｅｇａｔｉｖｅ度５３等が格納され、また、グループＩＤ５４及びグループ情報５５が格納される。ここでコンテンツＩＤ５０は、当該データベース３３０１ｃの対象のコンテンツの識別子であり、再生時間５１は、コンテンツの再生時間（時間位置）や再生区間（時間区間）を示すデータである。
【００５０】
Ｐｏｓｉｔｉｖｅ度５２及びＮｅｇａｔｉｖｅ度５３は、夫々の再生時間（時間区間）毎に入力された感情データの度合いを示すデータであり、例えばグループに含まれるデータベースにおけるＰｏｓｉｔｉｖｅ度の合計及びＮｅｇａｔｉｖｅ度の合計の数値である。そして、表示装置２００は、当該データベース３３０１に基づいた感情データを受信すると、映像コンテンツの夫々の再生位置（再生区間）において、当該再生位置（区間）に対応するＰｏｓｉｔｉｖｅ度５２やＮｅｇａｔｉｖｅ度５３の数値レベルに応じた発光強度、発光色、発光パターンにより、発光部１１７を発光させる。つまり表示装置１００は、例えばＰｏｓｉｔｉｖｅ度５２の数値レベルに応じて赤色の発光強度を、Ｎｅｇａｔｉｖｅ度５３の数値レベルに応じて青色の発光強度を制御してもよい。
【００５１】
なお、当該データベース３３０１ｃにおけるＰｏｓｉｔｉｖｅ度５２及びＮｅｇａｔｉｖｅ度５３は、グループ内のデータベースにおける数値の合計でなく、例えば平均値であっても良いし、また、ユーザ毎に重み付けをした数値の合計や平均であってもよい。グループＩＤ５４は、グループ化されたデータベースを示す識別子である。また、データベース３３０１ａ乃至ｃは、映像コンテンツの全ての再生位置（区間）の夫々に対して感情レベル等の評価データが格納されている必要はなく、少なくとも当該映像コンテンツの何れかの再生位置（区間）に対する感情レベルが格納されていればよい。
【００５２】
次に図５を参照して、表示装置２００が表示する画面の例を説明する。当該画面には、サムネイル領域６０及び感情レベル表示領域７０が配置される。ここで、顔サムネイル領域６０は、映像コンテンツの一定の時間区間内におけるサムネイル画像やサムネイル動画が配置される領域である。そして図５に示す例では、４つの時間区間にサムネイル画像６１乃至６４が１つずつ配置されている。
【００５３】
また感情レベル表示領域７０は、サーバ装置３００から受信した感情データに基づいて、映像コンテンツの所定の再生位置（時間区間）毎における感情の度合いを示す領域である。また、当該感情レベル表示領域７０には、感情レベルの項目７１及び７２が配置され、当該項目の夫々について、感情レベルの変化を示すグラフが表示される。そして当該領域７０には、再生位置７６が配置される。
【００５４】
なお、サムネイル領域に表示されるサムネイル画像は、例えば所定の区間における感情レベルに応じて選択されてもよい。つまり、ある区間において例えば最も感情レベルが高い再生位置での画像をサムネイル画像としてもよい。あるいは、映像コンテンツのデータをインデクシングし、当該インデクシング結果に基づいた画像をサムネイル画像としても良い。
【００５５】
次に図６を参照して、表示装置２００による映像コンテンツの再生に係る、当該表示装置２００及びサーバ装置３００の処理シーケンス例を説明する。なお、ここでは表示装置２００と同様の機能を有する表示装置４００の処理についても併せて説明する。また、当該処理シーケンスにおいて、表示装置２００と表示装置４００とは、例えば放送中の同一コンテンツを同一の時間に表示しているとする。
【００５６】
まず表示装置２００及び表示装置４００がコンテンツを再生し（Ｓ６０１、Ｓ６０２）、夫々の装置が無線操作端末からの感情データ入力操作を受け付けると（Ｓ６０３，６０４）、夫々の装置はサーバ装置３００に対して感情データを送信する（Ｓ６０５、Ｓ６０６）。そしてサーバ装置３００は、感情データを受信すると（Ｓ６０７）、受信した複数の感情データに基づいてデータベースを生成し、当該データベースを格納する（Ｓ６０８）。続いて表示装置２００及び４００は、サーバ装置３００に格納されたデータベースから、集計された感情データを取得し（Ｓ６０９、Ｓ６１０）、当該感情データに応じた発光強度、発光色、発光パターン等により、発光装置を発光させる（Ｓ６１１、Ｓ６１２）。なお、表示装置２００はＳ６０９において、現在再生している位置（区間）についての感情データを取得し、当該取得した感情データが示す感情レベルに応じて発光部１１７を制御する。
【００５７】
なお図６においては、表示装置２００と表示装置４００とが、放送中の同一のコンテンツ等を再生している場合について説明したが、例えば表示装置２００は、録画されたコンテンツやＩＰテレビ等のコンテンツを再生する場合にも同様の処理を行う。つまり、表示装置２００は、録画コンテンツを再生している際に当該コンテンツに対する感情データ入力操作を受けると、入力された感情データをサーバ装置３００に送信する。また、録画コンテンツの再生中においては、サーバ装置３００から、当該サーバ装置に格納されているコンテンツ／感情データベース３３０１のうち、現在表示装置２００が再生しているコンテンツに対応するデータベースに含まれる感情データを取得して、当該感情データに応じた発光制御を行う。
【００５８】
次に図７を参照して、表示装置２００による、感情データの送信に係る処理フロー例を説明する。
まず映像デコード部２０５が映像コンテンツをデコード（再生）し（Ｓ７０１）、受信部２１０が当該再生中のコンテンツに対する感情データの入力操作信号を無線操作端末１００から受け付けると（Ｓ７０２）、再生情報取得部２５４は再生中の映像コンテンツの再生位置情報と、当該映像コンテンツのコンテンツＩＤとを取得する（Ｓ７０３）。そして感情データ送信部２５２は、感情データと、映像コンテンツにおいて当該感情データが入力された際に再生されていた位置や区間に関する再生位置（区間）情報と、コンテンツＩＤとをサーバ装置３００に送信する（Ｓ７０４）。なお、Ｓ７０４において感情データ送信部２５２は、嗜好判別部２５３が判別したユーザの嗜好に関する嗜好情報を送信してもよい。
【００５９】
次に図８を参照して、サーバ装置３００による、感情データの送受信に係る処理フロー例を説明する。
まず通信部３１０は、ネットワークを介して接続された表示装置２００等の機器から感情データを受信する（Ｓ８０１）。次にデータ管理部３２０は、受信した感情データに基づいてコンテンツ／感情データベース３３０１を生成し、当該データベース３３０１を記憶部３３０に格納する（Ｓ８０２）。そして通信部３１０は、表示装置２００からの感情データ要求を受けると（Ｓ８０３）、記憶部３３０に格納されたデータベースの感情データを表示装置２００に送信する（Ｓ８０４）。なお、ここで通信部３１０は、例えばコンテンツの時間区間毎に感情の度合いが対応付けられた感情データを送信する。
【００６０】
次に図９を参照して、表示装置２００による感情データの取得に係る処理フローを説明する。
まず映像デコード部２０５が映像コンテンツをデコード（再生）すると（Ｓ９０１）、再生情報取得部２５４は当該再生中のコンテンツのＩＤと再生位置情報とを取得する（Ｓ９０２）。そして感情データ取得部２５５は、当該コンテンツＩＤを指定した感情データ要求をサーバ装置３００に送信し、当該要求に対してサーバ装置３００から送信された感情データを受信する（Ｓ９０３）。そして発光制御部２５７は、受信した感情データのうち、表示装置２００が現在再生している位置に対応する感情データに応じて発光部２１７を発光させる（Ｓ９０４）。
【００６１】
なおＳ９０３において感情データ取得部２５５は、サーバ装置３００に対してコンテンツのＩＤとともにユーザの嗜好に関する嗜好情報やユーザＩＤを送信してもよい。そして
【００６２】
感情データ取得部２５５は、サーバ装置３００が格納しているデータベースのうち、当該嗜好情報やユーザＩＤに応じたグループのデータベースの感情データを取得してもよい。
【００６３】
なお本実施形態では、映像コンテンツの評価に関するデータとして、映像コンテンツに対するＰｏｓｉｔｉｖｅ度合いとＮｅｇａｔｉｖｅ度合い等の感情データを例に挙げて説明したが、表示装置２００、無線操作端末１００及びサーバ装置３００が扱うデータは、少なくともコンテンツの評価に関するデータであればよい。つまり表示装置２００は、例えばネットワーク上に公開された映像コンテンツに付与されたタグやコメント等の、映像コンテンツの評価に関する情報を取得して、当該取得した情報に応じて発光を制御してもよい。このとき表示装置２００は、例えば一定の時間区間内におけるコメントやタグの数に応じて発光部２１７を制御してもよい。また、コメントやタグの文等の内容を解析して、当該コメントやタグの内容に応じた制御をしてもよい。
【００６４】
また、表示装置２００は、感情データに応じて必ずしも発光装置を制御しなくともよい。例えば、発光装置に液晶パネルを重ねた装置を設け、当該液晶パネルを感情データに応じて制御することにより、ユーザに対して異なる発光色や発光パターンを認識させるものであっても良い。
【００６５】
また本実施形態において、表示装置２００は、表示部２０９の表示画面を照明するバックライトとは異なる発光装置である発光部１１７を制御するとしたが、表示装置２００は、表示装置の表示画面の、映像を表示する領域とは異なる一部の領域に、感情データに応じて画像が変化する領域を設けても良い。
【００６６】
そして上記の実施形態によれば、表示装置２００は、映像のシーンについての他のユーザの評価を好適に示すことが可能である。
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００６７】
１００…無線操作端末、１１０…操作入力部、１１１…Ｐｏｓｉｔｉｖｅボタン、１１２…Ｎｅｇａｔｉｖｅボタン、１２０…送信制御部、１３０…送信部、２０１…チューナ、２０２…復調部、２０３…分離部、２０４…音声デコード部、２０５…映像デコード部、２０６…音声処理部、２０７…表示処理部、２０８…スピーカ部、２０９…表示部、２１０…受信部、２１１…記憶部、２１２…プログラム格納メモリ、２１３…ワークメモリ、２１４…制御部、２１５…ＣＰＵ、２１６…通信部、２１７…発光部、２５０…感情データ処理プログラム、２５１…感情データ入力部、２５２…感情データ送信部、２５３…嗜好判別部、２５４…再生情報取得部、２５５…感情データ取得部、２５６…ＧＵＩ処理部、２５７…発光制御部、３００…サーバ装置、３１０…通信部、３２０…データ管理部、３３０…記憶部、３３０１…コンテンツ／感情データベース、４００…表示装置、５００…表示装置、６００…表示装置
【図１】
2012099969.tif 000003
【図２】
2012099969.tif 000004
【図３】
2012099969.tif 000005
【図４】
2012099969.tif 000006
【図５】
2012099969.tif 000007
【図６】
2012099969.tif 000008
【図７】
2012099969.tif 000009
【図８】
2012099969.tif 000010
【図９】
2012099969.tif 000011